(57)【要約】【課題】廃棄物対策や自然環境に配慮して、植物を植え付けた培土からなる根鉢を、天然の繊維からなる天然マット材で包囲して美観や装飾感を著しく高くするようにした。【解決手段】植物を植え付けた根鉢２の底面及び外周面を、天然繊維からなる天然マット材３で被覆するように包囲するとともに、天然繊維からなる紐材４で結束するようにした。【選択図】  図２
2004261099.tif 000002
【特許請求の範囲】
【請求項１】
植物を植え付けた根鉢の底面及び外周面を、天然繊維からなる天然マット材で被覆するように包囲するとともに、天然繊維からなる紐材で結束するようにしたことを特徴とする植生装置。
【請求項２】
天然繊維からなる天然マット材に天然の糊料で硬質部分を形成し、前記硬質部分に根鉢の底面を位置させてなる請求項１に記載の植生装置。
【請求項３】
天然繊維からなる天然マット材の表面に、天然の糊料で第２硬質部分を設けるとともに、前記第２硬質部分の外周に立ち上げ片を形成した天然繊維の補助天然マット材を重合させ、前記第２硬質部分に根鉢の底面を位置させるとともに前記立ち上げ片を根鉢の外周面下部に沿わせ、また前記天然マット材で根鉢の外周面を被覆するように包囲して天然繊維からなる紐材で結束するようにしたことを特徴とする植生装置。
【請求項４】
天然繊維からなる天然マット材は、ココナツ、椰子、シュロの繊維である請求項１から３の何れかの項に記載の植生装置。
【発明の詳細な説明】
【０００１】
【発明の属する技術分野】
本発明は、廃棄物対策や自然環境に配慮して、植物を植え付けた培土からなる根鉢を、天然の繊維からなる天然マット材で包囲して美観や装飾感を著しく高くするようにしたことを特徴とする植生装置に関するものである。
【０００２】
【従来の技術】
植物を植え付けた培土を固めてなる支持体の外周面を、網鉢や彩色シートで包囲するようにした簡易鉢が知られている（例えば特許文献１参照）。
上記した簡易鉢は、鉄線からなる網鉢と、紙製若しくは布製の彩色シートと、水が染み通るのを防ぐ樹脂の天然マット材からなる防水シートとからなり、彩色シートの内面に網鉢を位置させ、この網鉢の内側に彩色シート及び防水シートを重合し、培土を固めた支持体を防水シートの内部に設置するのである。
【０００３】
【特許文献１】
特開２００３−３８０３６
【０００４】
【発明が解決しようとする課題】
しかし、前記従来の簡易鉢は、支持体の周囲に数重にもシート及び針金の網鉢を被覆しなければならない手間が掛かるし、防水シートが樹脂製であるからそのままでは廃棄処分にすることができない。しかも、外表面が紙製、布製などであって着色された彩色シートであるから、充分に鮮麗された植木用の鉢を提供することができない。
したがって、本発明は構造がきわめて簡単で、著しく装飾性が高く、しかも天然素材を使用しているので廃棄対策や自然環境に配慮して公害を生じない植物用の植生装置を提供することにある。
【０００５】
【課題を解決するための手段】
前記目的を達成させるため、本願の請求項１に記載の発明は、植物を植え付けた根鉢の底面及び外周面を、天然繊維からなる天然マット材で被覆するように包囲するとともに、天然繊維からなる紐材で結束するようにしたことを特徴とする植生装置に関するものである。
【０００６】
本願の請求項２に記載の発明は、前記請求項１に記載の発明において、天然繊維からなる天然マット材に天然の糊料で硬質部分を形成し、前記硬質部分に根鉢の底面を位置させてなる構成である。
【０００７】
本願の請求項３に記載の発明は、天然繊維からなる天然マット材の表面に、天然の糊料で第２硬質部分を設けるとともに、前記第２硬質部分の外周に立ち上げ片を形成した天然マット材からなる補助天然マット材を重合させ、前記第２硬質部分に根鉢の底面を位置させるとともに前記立ち上げ片を根鉢の周縁下部に沿わせ、また前記天然マット材で根鉢の外周面を被覆するように包囲して天然繊維からなる紐材で結束するようにしたことを特徴とする植生装置に関するものである。
【０００８】
本願の請求項４に記載の発明は、請求項１から３の何れかの項に記載の植生装置において、天然繊維からなる天然マット材は、ココナツ、椰子、シュロの繊維であることを特徴とする。
【０００９】
【発明の実施の形態】
以下に本発明を図面に示す実施の態様に基づいて説明する。
図１は本発明の第１実施例を示す展開した状態の斜視図、図２は第１実施例における根鉢をマット材で包囲した状態の斜視図、図３は本発明の第２実施例の展開した状態の斜視図、図４は第２実施例における根鉢をマット材で包囲した状態の一部縦断面図、図５は本発明の第３実施例を示す展開した状態の斜視図、図６は第３実施例における根鉢をマット材で包囲した状態の一部縦断面図である。
【００１０】
本発明の植生装置１は、基本的には培土を固めてなる根鉢２と、根鉢２の外周面を包囲する天然素材からなる天然マット材３と、及び前記天然マット材３の外面に巻成して結束することにより、天然マット材３を根鉢２の外周面に支持する天然繊維からなる紐材４とからなるものである。
【００１１】
前記根鉢２は、培土をある程度の圧力で圧縮して固めてなるもので、樹木、草花などの植物Ｓを植え付けてあり、農家などで製造する場合にはビニル樹脂からなる薄手の保護カバー２１の内部に収納されていることもある。
【００１２】
前記天然マット材３は、ココナツ、椰子、シュロなどの天然繊維を厚手のマット状に成形した構成で、自由に屈曲できるし折り畳むこともでき、前記根鉢２の外周面を充分に覆い隠す程度に被覆することができる寸法であって、根鉢２の外周面を直接被覆するように包囲してもよいし、根鉢を収納した保護カバー２１の外周面を包囲してもよい。
【００１３】
前記紐材４は、前記天然マット材３と同様に天然繊維からなる素材を紐状に成形してなるもので、根鉢２の外周面に包囲した天然マット材３に外周縁に掛け渡して結束することにより、天然マット材３を根鉢２の外周面に支持することができる。
【００１４】
したがって、展開した状態の天然マット材３の中心位置に根鉢２を載置し、マット材３の周縁部を根鉢２の外周面に沿うようにして立ち上げるとともに折り込んで全外周面を覆い隠し、その外面に横方向に紐材４を掛け渡して結束すると、根鉢２は天然マット材３によって全面が体裁良く包み込まれることになり、また紐材４がその包囲状態を保持することになる。
【００１５】
そのため正面から観察すると、植物Ｓは天然マット材３の鉢から直立するような状態として観ることができるので、天然繊維のマット材と相俟って美観や装飾感が著しく良好で、自然の雰囲気を醸し出すことができる。しかも、天然マット材３や紐材４は自然の素材からなるので、植物と調和して価値観を高めることができるため、特に室内の装飾用インテリア材として有効である。
なお、天然マット材３は通水性があるので、使用に際しては図２で示すように水の受け皿１０に植生装置１を載せて、水を与えた場合に余剰水を受け皿１０に溜めるようにするとよい。
【００１６】
図３、４に示す本発明の第２実施例は、天然マット材３のほぼ中央位置に円形の硬質部分３１を形成し、該硬質部分３１に根鉢２を載置して、硬質部分３１周囲の柔軟な部分で根鉢２の外周面を包み込むようにした構成である。
【００１７】
前記硬質部分３１は、天然のデンプン系材料からなる糊料を天然マット材３に含浸させ、乾燥することにより形成することができる。
なお、前記第２実施例において、その他の構成は前記第１実施例と同一の構成であるから、同一の符号を付して具体的説明を省略する。
【００１８】
上記本発明の第２実施例によれば、硬質部分３１の径を根鉢２の底面とほぼ同一にすると、前記柔軟な部分を折って立ち上げる場合に、立ち上げ基端部が角張るので、天然マット材３の硬質部分３１及び柔軟な部分を根鉢２の底面、外周面に密接状にすることができ、体裁良く根鉢２を包み込むことができる。
【００１９】
図５、６に示す本発明の第３実施例は、天然マット材３の表面のほぼ中央部に、天然繊維からなる補助天然マット材３２を重合させた構成である。
【００２０】
前記補助天然マット材３２は、前記天然マット材３と同様にココナツ、椰子、シュロなどからなる天然繊維を厚手のマット状に成形した構成で、中央部分に天然の材質からなる糊料によって円形な第２硬質部分３３を設けるとともに、前記第２硬質部分３３の外側に複数のスリット３４を放射状に形成して複数の扇状立ち上げ片３５を設けてある。
【００２１】
前記第２硬質部分３３も前記硬質部分３１と同様に、天然のデンプン系材料からなる糊料を補助天然マット材３２に含浸させ、乾燥することにより形成することができる。そして、天然マット材３と補助天然マット材３２の第２硬質部分３３とは、前記と同様に天然のデンプン系材料からなる糊料で重合状に固定する。
【００２２】
本発明の第３実施例は前記した構成であるから、前記第２硬質部分３３の表面に根鉢２を載置して複数の立ち上げ片３５を上方に折ることにより根鉢２の外周面下方に沿わせ、天然マット材３の柔軟な部分で根鉢２の外周面を被覆するように包み込んで天然の紐材４で結束する。
【００２３】
したがって、本発明の第３実施例では、第２硬質部分３３が根鉢２の底面を補強するとともに立ち上げ片３５が根鉢２の外周面下方を補強することになるので、根鉢２が崩れるのを防ぐことができるし、長期間の利用に耐えることができる。
【００２４】
なお、図５、６の第３実施例において、説明していない符号は前記第１実施例の同一符号と同一の構成であるから、詳細な説明を省略する。
【００２５】
以上本発明を図面に実施例に基づいて説明したが、本発明は前記実施例に限定されることなく、特許請求の範囲に記載の構成を変更しない限りどのようにでも実施することができる。
【００２６】
【発明の効果】
以上要するに本発明は、植物を植え付けた根鉢の底面及び外周面を、天然繊維からなる天然マット材で被覆するように包囲するとともに、天然繊維からなる紐材で結束するようにし、天然繊維からなる天然マット材に天然の糊料で硬質部分を形成し、前記硬質部分に根鉢の底面を位置させたり、天然繊維からなる天然マット材の表面に、天然の糊料で第２硬質部分を設けるとともに、前記第２硬質部分の外周に立ち上げ片を形成した天然繊維の補助天然マット材を重合させ、前記第２硬質部分に根鉢の底面を位置させるとともに前記立ち上げ片を根鉢の外周面下部に沿わせ、また前記天然マット材で根鉢の外周面を被覆するように包囲して天然繊維からなる紐材で結束するようにしたことを特徴とする。
【００２７】
したがって、全てが天然の素材からなるので、廃棄物対策や自然環境に配慮して公害が生じないし、構造がきわめて簡単で著しく装飾性に富み、特に室内のインテリア用具として実用的価値の高いものとなる。
【図面の簡単な説明】
【図１】本発明の第１実施例を示す展開した状態の斜視図である。
【図２】第１実施例における根鉢をマット材で包囲した状態の斜視図である。
【図３】本発明の第２実施例の展開した状態の斜視図である。
【図４】第２実施例における根鉢をマット材で包囲した状態の一部縦断面図である。
【図５】本発明の第３実施例を示す展開した状態の斜視図である。
【図６】第３実施例における根鉢をマット材で包囲した状態の一部縦断面図である。
【符号の説明】
１  植生装置
２  根鉢
３  天然マット材
４  紐材
３１  硬質部分
３２  補助天然マット材
３３  第２硬質部分
３４  切り込み
３５  立ち上げ片
【図１】
2004261099.tif 000003
【図２】
2004261099.tif 000004
【図３】
2004261099.tif 000005
【図４】
2004261099.tif 000006
【図５】
2004261099.tif 000007
【図６】
2004261099.tif 000008